(57)【要約】【課題】必要とされる永久磁石量の増大を抑制しつつ、誘起電圧定数を可変とする。【解決手段】ロータ１１を、複数の磁石極部３１，…，３１と、回転軸Ｏ方向および径方向に直交する方向に磁化された複数の副永久磁石３２，…，３２と、非磁性材からなるロータフレーム３３とを備えて構成した。磁石極部３１を、回転軸Ｏ方向に平行な方向に磁束を発生可能な電磁石４１と、この電磁石４１を回転軸Ｏ方向に平行な方向の両側から挟み込む１対の略扇形板状の磁性材部材４２，４２とを備えて構成し、複数の副永久磁石３２，…，３２を、電磁石４１の周方向端部に配置した。磁性材部材４２を介して周方向で対向する１対の副永久磁石３２，３２同士、および、ロータフレーム３３の径方向リブ３４を介して回転軸Ｏ方向と平行な方向で対向する１対の副永久磁石３２，３２同士は、互いに磁化方向が異方向となるように設定した。【選択図】図２
2008161038.tif 000002
【特許請求の範囲】
【請求項１】
ロータと、該ロータを回転軸方向の両側から挟み込むようにして対向配置された１対のステータとを備えるアキシャルギャップ型モータであって、
前記ロータは、磁束の方向が前記回転軸方向と平行となるようにして周方向に配置された複数の主磁石としての電磁石と、前記主磁石の周方向端部近傍に配置されると共に、前記回転軸方向および径方向に直交する方向に磁化された副永久磁石とを備えることを特徴とするアキシャルギャップ型モータ。
【請求項２】
前記電磁石は、前記回転軸方向の断面形状が略扇形とされたヨークと、該ヨークに巻装された巻線とを備え、
前記巻線と電源とを接続するスリップリングを備えることを特徴とする請求項１に記載のアキシャルギャップ型モータ。
【請求項３】
前記周方向で隣り合う前記副永久磁石同士は、互いの同極同士が対向するように配置されていることを特徴とする請求項１または請求項２に記載のアキシャルギャップ型モータ。
【請求項４】
前記周方向で隣り合う前記副永久磁石同士は、前記電磁石の配置位置から前記回転軸方向の一方側または他方側にずれた位置に配置され、
前記電源から前記巻線への通電状態を反転可能な通電手段と、
前記通電手段の通電により、前記電磁石の前記回転軸方向において前記副永久磁石同士がずれた側に、前記副永久磁石同士の対向磁極と同極の磁極を発生させる強め界磁状態と、前記電磁石の前記回転軸方向において前記副永久磁石同士がずれた側に、前記副永久磁石同士の対向磁極と異極の磁極を発生させる弱め界磁状態とを設定する設定手段と
を備えることを特徴とする請求項１から請求項３の何れかひとつに記載のアキシャルギャップ型モータ。
【請求項５】
複数の前記主磁石は、前記電磁石と主永久磁石とにより構成されていることを特徴とする請求項１から請求項４の何れかひとつに記載のアキシャルギャップ型モータ。
【請求項６】
複数の前記副永久磁石は、周方向に規則的間隔で配置されていることを特徴とする請求項１から請求項５の何れかひとつに記載のアキシャルギャップ型モータ。
【発明の詳細な説明】
【技術分野】
【０００１】
本発明は、アキシャルギャップ型モータに関する。
【背景技術】
【０００２】
従来、例えば回転軸方向の両側からロータを挟み込むようにして対向配置された１対のステータを備え、ロータの永久磁石による界磁磁束に対して、１対のステータを介した磁束ループを形成する軸ギャップ型の永久磁石同期機が知られている（例えば、特許文献１、特許文献２参照）。
【特許文献１】特開平１０−２７１７８４号公報
【特許文献２】特開２００１−１３６７２１号公報
【発明の開示】
【発明が解決しようとする課題】
【０００３】
ところで、上記従来技術に係る永久磁石同期機では、永久磁石を具備するロータの構成等に応じて誘起電圧定数が所定の固定値となることから、高回転領域において誘起電圧定数に応じた所定の逆起電圧が発生してしまい、運転可能な回転数およびトルクが所定の値に制限されてしまうという問題が生じる。
【０００４】
本発明は上記事情に鑑みてなされたもので、構成に必要とされる永久磁石量の増大を抑制しつつ、誘起電圧定数を可変とすることが可能なアキシャルギャップ型モータを提供することを目的とする。
【課題を解決するための手段】
【０００５】
上記課題を解決して係る目的を達成するために、本発明の第１態様に係るアキシャルギャップ型モータは、ロータ（例えば、実施の形態でのロータ１１）と、該ロータを回転軸方向の両側から挟み込むようにして対向配置された１対のステータ（例えば、実施の形態でのステータ１２）とを備えるアキシャルギャップ型モータであって、前記ロータは、磁束の方向が前記回転軸方向と平行となるようにして周方向に配置された複数の主磁石としての電磁石（例えば、実施の形態での電磁石４１）と、前記主磁石の周方向端部近傍に配置されると共に、前記回転軸方向および径方向に直交する方向に磁化された副永久磁石（例えば、実施の形態での副永久磁石３２）とを備える。
【０００６】
さらに、本発明の第２態様に係るアキシャルギャップ型モータでは、前記電磁石は、前記回転軸方向の断面形状が略扇形とされたヨーク（例えば、実施の形態でのヨーク５１）と、該ヨークに巻装された巻線（例えば、実施の形態でのコイル５２）とを備え、前記巻線と電源とを接続するスリップリング（例えば、実施の形態でのスリップリング６１）を備える。
【０００７】
さらに、本発明の第３態様に係るアキシャルギャップ型モータでは、前記周方向で隣り合う前記副永久磁石同士は、互いの同極同士が対向するように配置されている。
【０００８】
さらに、本発明の第４態様に係るアキシャルギャップ型モータでは、前記周方向で隣り合う前記副永久磁石同士は、前記電磁石の配置位置から前記回転軸方向の一方側または他方側にずれた位置に配置され、前記電源から前記巻線への通電状態を反転可能な通電手段（例えば、実施の形態での通電制御装置６２）と、前記通電手段の通電により、前記電磁石の前記回転軸方向において前記副永久磁石同士がずれた側に、前記副永久磁石同士の対向磁極と同極の磁極を発生させる強め界磁状態と、前記電磁石の前記回転軸方向において前記副永久磁石同士がずれた側に、前記副永久磁石同士の対向磁極と異極の磁極を発生させる弱め界磁状態とを設定する設定手段（例えば、実施の形態での通電制御装置６２）とを備える。
【０００９】
さらに、本発明の第５態様に係るアキシャルギャップ型モータでは、複数の前記主磁石は、前記電磁石と主永久磁石とにより構成されている。
【００１０】
さらに、本発明の第６態様に係るアキシャルギャップ型モータでは、複数の前記副永久磁石は、周方向に規則的間隔で配置されている。
【発明の効果】
【００１１】
本発明の第１態様に係るアキシャルギャップ型モータによれば、主磁石である電磁石から発生する磁束の方向を反転させることによって、アキシャルギャップ型モータの状態を、所謂主磁石および副永久磁石のハルバッハ配置による磁束レンズ効果により磁束が収束する強め界磁状態と、主磁石および副永久磁石による磁路短絡が発生する弱め界磁状態とに設定することができ、主磁石および副永久磁石による界磁磁束が各ステータの固定子巻線を鎖交する鎖交磁束量を増大あるいは低減させることによって誘起電圧定数を可変とすることができる。これにより、ロータの構成に要する永久磁石量を増大させる必要無しに、アキシャルギャップ型モータの運転可能な回転数範囲およびトルク範囲を拡大し、運転効率を向上させると共に高効率での運転可能範囲を拡大することができる。
【００１２】
本発明の第２態様に係るアキシャルギャップ型モータによれば、アキシャルギャップ型モータの構成が過剰に複雑化することを防止しつつ、誘起電圧定数を可変とすることができる。
【００１３】
本発明の第３態様に係るアキシャルギャップ型モータによれば、アキシャルギャップ型モータの状態を強め界磁状態に設定する際に所謂主磁石および副永久磁石のハルバッハ配置による磁束レンズ効果を有効に利用することができ、弱め界磁状態に設定する際に主磁石および副永久磁石による磁路短絡を有効に利用することができ、主磁石および副永久磁石による界磁磁束が各ステータの固定子巻線を鎖交する鎖交磁束量を適切に増大あるいは低減させることができ、誘起電圧定数の可変幅を増大させることができる。
【００１４】
本発明の第４態様に係るアキシャルギャップ型モータによれば、設定手段によってアキシャルギャップ型モータの状態を強め界磁状態と弱め界磁状態とに適切に変更することができる。
【００１５】
本発明の第５態様に係るアキシャルギャップ型モータによれば、複数の主磁石を電磁石と主永久磁石とにより構成することにより、ロータの構成に要する永久磁石量が過剰に増大することを防止しつつ、例えば電磁石に対する通電に異常が生じた場合であっても所望の界磁磁束を確保することができる。
【００１６】
本発明の第６態様に係るアキシャルギャップ型モータによれば、複数の副永久磁石は周方向に規則的間隔で配置されることから、例えば周方向で隣り合う複数の主磁石間のうち適宜の主磁石間においては、回転軸方向の一方側および他方側にずれた位置に配置された１対の副永久磁石、あるいは、これら１対の副永久磁石のいずれかひとつのみを省略してもよい。これにより、ロータの構成に要する永久磁石量が過剰に増大することを防止しつつ、所望の界磁磁束を確保することができる。
【発明を実施するための最良の形態】
【００１７】
以下、本発明のアキシャルギャップ型モータの一実施形態について添付図面を参照しながら説明する。
本実施の形態によるアキシャルギャップ型モータ１０は、例えば図１に示すように、このアキシャルギャップ型モータ１０の回転軸Ｏ周りに回転可能に設けられた略円環状のロータ１１と、回転軸Ｏ方向の両側からロータ１１を挟みこむようにして対向配置され、ロータ１１を回転させる回転磁界を発生する複数相の各固定子巻線を有する１対のステータ１２，１２とを備えて構成されている。
【００１８】
このアキシャルギャップ型モータ１０は、例えばハイブリッド車両や電動車両等の車両に駆動源として搭載され、出力軸がトランスミッション（図示略）の入力軸に接続されることで、アキシャルギャップ型モータ１０の駆動力がトランスミッションを介して車両の駆動輪（図示略）に伝達されるようになっている。
【００１９】
また、車両の減速時に駆動輪側からアキシャルギャップ型モータ１０に駆動力が伝達されると、アキシャルギャップ型モータ１０は発電機として機能していわゆる回生制動力を発生し、車体の運動エネルギーを電気エネルギー（回生エネルギー）として回収する。さらに、例えばハイブリッド車両においては、アキシャルギャップ型モータ１０の回転軸が内燃機関（図示略）のクランクシャフトに連結されると、内燃機関の出力がアキシャルギャップ型モータ１０に伝達された場合にもアキシャルギャップ型モータ１０は発電機として機能して発電エネルギーを発生する。
【００２０】
各ステータ１２は、例えば略円環板状のヨーク部２１と、ロータ１１に対向するヨーク部２１の対向面上で周方向に所定間隔をおいた位置から回転軸Ｏ方向に沿ってロータ１１に向かい突出すると共に径方向に伸びる複数のティース２２，…，２２と、適宜のティース２２，２２間に装着される固定子巻線（図示略）とを備えて構成されている。
【００２１】
各ステータ１２は、例えば主極が６個（例えば、Ｕ＋，Ｖ＋，Ｗ＋，Ｕ−，Ｖ−，Ｗ−）とされた６Ｎ型であって、一方のステータ１２の各Ｕ＋，Ｖ＋，Ｗ＋極に対して、他方のステータ１２の各Ｕ−，Ｖ−，Ｗ−極が回転軸Ｏ方向で対向するように設定されている。
例えば回転軸Ｏ方向で対向する１対のステータ１２，１２に対し、Ｕ＋，Ｖ＋，Ｗ＋極およびＵ−，Ｖ−，Ｗ−極の一方に対応する一方のステータ１２の３個のティース２２，２２，２２と、Ｕ＋，Ｖ＋，Ｗ＋極およびＵ−，Ｖ−，Ｗ−極の他方に対応する他方のステータ１２の３個のティース２２，２２，２２とが、回転軸Ｏ方向で対向するように設定され、回転軸Ｏ方向で対向する一方のステータ１２のティース２２と、他方のステータ１２のティース２２とに対する通電状態が電気角で反転状態となるように設定されている。
【００２２】
ロータ１１は、例えば図２に示すように、複数の磁石極部３１，…，３１と、回転軸Ｏ方向および径方向に直交する方向に磁化された複数の副永久磁石３２，…，３２と、非磁性材からなるロータフレーム３３とを備えて構成されている。
【００２３】
ロータフレーム３３は、周方向に所定間隔をおいて配置された複数の径方向リブ３４，…，３４によって接続された内周部３５と外周側筒状部３６とを備え、内周部３５は円環板状に形成され、外部の駆動軸（例えば、車両のトランスミッションの入力軸等）に接続されるようになっている。
そして、ロータフレーム３３内に収容された複数の磁石極部３１は、径方向の両側から内周部３５と外周側筒状部３６とにより挟み込まれると共に、径方向リブ３４を介して周方向で隣り合うように配置されている。
【００２４】
磁石極部３１は、例えば図２〜図４に示すように、回転軸Ｏ方向に平行な方向に磁束を発生可能な電磁石４１と、この電磁石４１を回転軸Ｏ方向に平行な方向の両側から挟み込む１対の略扇形板状の磁性材部材４２，４２とを備えて構成されている。
そして、複数の副永久磁石３２，…，３２は、電磁石４１の周方向端部に配置されている。
【００２５】
電磁石４１は、例えば図３および図４に示すように、中心軸線が回転軸Ｏ方向に平行となるように設定された略ボビン状の磁性材（例えば、複数の積層鋼板が積層されて構成された磁性材）からなるヨーク５１と、このヨーク５１に中心軸線周りに巻装されたコイル５２とを備えて構成され、ヨーク５１の厚さ方向（つまり、回転軸Ｏ方向に平行な方向）の両端部を両側から挟み込むようにして１対の磁性材部材４２，４２が固定されている。
そして、ロータフレーム３３内において周方向で隣り合う電磁石４１，４１は、発生可能な磁束の方向が互いに異方向となるように設定されている。つまり、ヨーク５１に対するコイル５２の巻装状態が右巻きとされた電磁石４１には、ヨーク５１に対するコイル５２の巻装状態が左巻きとされた電磁石４１が周方向で隣り合うように設定されている。
【００２６】
なお、ロータフレーム３３において、電磁石４１を径方向の両側から挟み込む内周部３５と外周側筒状部３６とのうち、例えば内周部３５の外周面上には回転軸Ｏ方向に平行な方向に伸びる凹溝３５ａが形成され、この凹溝３５ａには、周方向で隣り合う電磁石４１，４１のコイル５２，５２同士を接続する接続線５２ａあるいは適宜のコイル５２から外部に引き出される引出線５２ｂが装着されるようになっている。
【００２７】
複数の副永久磁石３２，…，３２は、回転軸Ｏ方向の一方側と他方側とにおいて、周方向で隣り合う磁石極部３１，３１間に配置され、周方向で隣り合う副永久磁石３２，３２は、磁石極部３１の磁性材部材４２を周方向の両側から挟み込むように配置されている。
これにより、回転軸Ｏ方向の一方側の副永久磁石３２と、他方側の副永久磁石３２とは、ロータフレーム３３の径方向リブ３４を介して回転軸Ｏ方向と平行な方向で対向するようになっている。
【００２８】
そして、磁性材部材４２を介して周方向で対向する１対の副永久磁石３２，３２同士、および、ロータフレーム３３の径方向リブ３４を介して回転軸Ｏ方向と平行な方向で対向する１対の副永久磁石３２，３２同士は、互いに磁化方向が異方向となるように設定されている。
つまり、例えば回転軸Ｏ方向と平行な方向の一方側において周方向で対向する１対の副永久磁石３２，３２同士が互いのＮ極同士を対向させている場合には、回転軸Ｏ方向と平行な方向の他方側において周方向で対向する１対の副永久磁石３２，３２同士が互いのＳ極同士を対向させるようになっている。
【００２９】
これにより、磁石極部３１の電磁石４１から発生する磁束に対して回転軸Ｏ方向と平行な方向の一方側および他方側で仮想的に設定可能な磁極と、この電磁石４１に対して回転軸Ｏ方向と平行な方向の一方側および他方側において周方向で対向する各１対の副永久磁石３２，３２の対向磁極とに対して、例えば回転軸Ｏ方向と平行な方向の一方側および他方側において、電磁石４１の磁極と１対の副永久磁石３２，３２の対向磁極とが同極である場合には強め界磁状態となり、電磁石４１の磁極と１対の副永久磁石３２，３２の対向磁極とが異極である場合には弱め界磁状態となる。
【００３０】
つまり、強め界磁状態では、電磁石４１と各１対の副永久磁石３２，３２との所謂ハルバッハ配置による磁束レンズ効果により、電磁石４１と各１対の副永久磁石３２，３２との各磁束が収束し、各ステータ１２，１２に鎖交する有効磁束が相対的に増大するようになっている。
また、弱め界磁状態では、回転軸Ｏ方向と平行な方向の一方側および他方側において、電磁石４１と各１対の副永久磁石３２，３２との間で磁路短絡が生じ、各ステータ１２，１２に鎖交する有効磁束が相対的に減少するようになっている。
【００３１】
また、例えば図５に示すように、ロータフレーム３３内に装着された複数の磁石極部３１，…，３１の電磁石４１，…，４１のうち、引出線５２ｂが接続されたコイル５２を具備する電磁石４１は、スリップリング６１を介して外部の通電制御装置６２に接続されている。
このスリップリング６１は、例えばロータ１１に固定されたリング部６１ａと、ステータ１２に固定されたブラシ部６１ｂとを備えて構成され、ブラシ部６１ｂと通電制御装置６２とは接続線６２ａを介して接続されている。
通電制御装置６２は、例えばブッリジ回路等を備え、電源（図示略）からコイル５２への通電状態を反転可能であって、アキシャルギャップ型モータ１０の強め界磁状態と弱め界磁状態とを適宜に切り換えて設定可能である。
【００３２】
上述したように、本実施の形態によるアキシャルギャップ型モータ１０によれば、アキシャルギャップ型モータ１０の状態を、所謂電磁石４１および副永久磁石３２のハルバッハ配置による磁束レンズ効果により磁束が収束する強め界磁状態と、電磁石４１および副永久磁石３２による磁路短絡が発生する弱め界磁状態とに設定することができ、電磁石４１および副永久磁石３２による界磁磁束が各ステータ１２の固定子巻線を鎖交する鎖交磁束量を増大あるいは低減させることによって誘起電圧定数を可変とすることができる。これにより、ロータ１１の構成に要する永久磁石量を増大させる必要無しに、アキシャルギャップ型モータ１０の運転可能な回転数範囲およびトルク範囲を拡大し、運転効率を向上させると共に高効率での運転可能範囲を拡大することができる。
【００３３】
さらに、通電制御装置６２からスリップリング６１を介して電磁石４１に直流が通電されることにより、電圧変動が相対的に小さく、かつ、低周波数となり、スリップリング６１の消耗が低減されると共に、通電制御装置６２の装置構成が複雑化することを防止することができる。
しかも、副永久磁石３２を備えることにより、例えば電磁石４１に対する通電に異常が生じた場合であっても、所望の界磁磁束を確保することができる。
【００３４】
なお、上述した実施の形態においては、周方向で隣り合う磁石極部３１，３１間に１対の副永久磁石３２，３２を備えるとしたが、これに限定されず、例えば図６〜図９に示す変形例のように、複数の副永久磁石３２は周方向に規則的間隔で配置されてもよく、例えば図６および図７に示す第１変形例のように、周方向で隣り合う複数の磁石極部３１，３１間のうち適宜の磁石極部３１，３１間において回転軸Ｏ方向の一方側および他方側にずれた位置に配置された１対の副永久磁石３２，３２が省略されてもよいし、あるいは、例えば図８および図９に示す第２変形例のように、周方向で隣り合う複数の磁石極部３１，３１間のうち適宜の磁石極部３１，３１間において回転軸Ｏ方向の一方側および他方側にずれた位置に配置された１対の副永久磁石３２，３２のいずれかひとつのみが省略されてもよい。
【００３５】
例えば図６および図７に示す第１変形例では、複数の磁石極部３１，３１間に対して、１対の副永久磁石３２，３２が省略される磁石極部３１，３１間と、１対の副永久磁石３２，３２が配置される磁石極部３１，３１間とが、周方向で２つ置きに交互に設定されている。
また、例えば図８および図９に示す第２変形例では、複数の磁石極部３１，３１間に対して、回転軸Ｏ方向の一方側の副永久磁石３２が省略される磁石極部３１，３１間と、回転軸Ｏ方向の他方側の副永久磁石３２が省略される磁石極部３１，３１間とが、周方向で２つ置きに交互に設定されている。
これらの第１変形例および第２変形例においては、ロータ１１の構成に要する永久磁石量が過剰に増大することを防止しつつ、所望の界磁磁束を確保することができる。
【００３６】
なお、図７および図９において、各電磁石４１は、例えば強め界磁状態の通電状態に設定されている。
また、これらの第１変形例および第２変形例においては、副永久磁石３２が省略された部位には、例えば非磁性（より好ましくは、非磁性かつ非導電性）の部材が配置されてもよいし、例えば空間が設けられてもよい。
【００３７】
なお、上述した実施の形態においては、各磁石極部３１は、電磁石４１と１対の磁性材部材４２，４２とを備えるとしたが、これに限定されず、例えば図１０に示す第３変形例のように、複数の磁石極部３１のうち、適宜の磁石極部３１において、電磁石４１の換わりに主永久磁石７１を備えてもよい。
この第３変形例では、周方向に配置された複数の磁石極部３１，…，３１において、電磁石４１と主永久磁石７１とが周方向で交互に配置されており、主永久磁石７１は磁性材部材４２と同等の略扇形板状とされ、磁化方向が回転軸Ｏ方向に設定されている。
これにより、ロータ１１の構成に要する永久磁石量が過剰に増大することを防止しつつ、例えば電磁石４１に対する通電に異常が生じた場合であっても所望の界磁磁束を確保することができる。
【００３８】
さらに、この第３変形例では、上述した第１および第２変形例のように、複数の副永久磁石３２は周方向に規則的間隔で配置されてもよく、例えば図１１（ａ），（ｂ）に示す第４変形例のように、周方向で隣り合う複数の磁石極部３１，３１間のうち適宜の磁石極部３１，３１間において回転軸Ｏ方向の一方側および他方側にずれた位置に配置された１対の副永久磁石３２，３２が省略されてもよいし、あるいは、例えば図１２（ａ），（ｂ）に示す第５変形例のように、周方向で隣り合う複数の磁石極部３１，３１間のうち適宜の磁石極部３１，３１間において回転軸Ｏ方向の一方側および他方側にずれた位置に配置された１対の副永久磁石３２，３２のいずれかひとつのみが省略されてもよい。
【００３９】
例えば図１１（ａ），（ｂ）に示す第４変形例では、複数の磁石極部３１，３１間に対して、１対の副永久磁石３２，３２が省略される磁石極部３１，３１間と、１対の副永久磁石３２，３２が配置される磁石極部３１，３１間とが、周方向で２つ置きに交互に設定され、かつ、適宜の電磁石４１または主永久磁石７１の周方向両端部において１対の副永久磁石３２，３２が省略されている。
また、例えば図１２（ａ），（ｂ）に示す第５変形例では、複数の磁石極部３１，３１間に対して、回転軸Ｏ方向の一方側の副永久磁石３２が省略される磁石極部３１，３１間と、回転軸Ｏ方向の他方側の副永久磁石３２が省略される磁石極部３１，３１間とが、周方向で２つ置きに交互に設定され、かつ、適宜の電磁石４１または主永久磁石７１の周方向両端部において一方側の副永久磁石３２が省略されている。
【００４０】
なお、図１１（ａ），（ｂ）および図１２（ａ），（ｂ）において、各電磁石４１は、例えば強め界磁状態の通電状態に設定されている。
また、これらの第４変形例および第５変形例においては、副永久磁石３２が省略された部位には、例えば非磁性（より好ましくは、非磁性かつ非導電性）の部材が配置されてもよいし、例えば空間が設けられてもよい。
【図面の簡単な説明】
【００４１】
【図１】本発明の実施形態に係るアキシャルギャップ型モータの斜視図である。
【図２】本発明の実施形態に係るアキシャルギャップ型モータのロータの分解斜視図およびロータフレームの要部斜視図である。
【図３】本発明の実施形態に係るアキシャルギャップ型モータのロータの電磁石の要部斜視図である。
【図４】本発明の実施形態に係るアキシャルギャップ型モータのロータの分解斜視図およびロータフレームの要部斜視図である。
【図５】本発明の実施形態に係るアキシャルギャップ型モータのロータの断面図である。
【図６】本発明の実施形態の第１変形例に係るアキシャルギャップ型モータのロータの要部分解斜視図である。
【図７】本発明の実施形態の第１変形例に係るアキシャルギャップ型モータのロータを径方向から見た展開図である。
【図８】本発明の実施形態の第２変形例に係るアキシャルギャップ型モータのロータの要部分解斜視図である。
【図９】本発明の実施形態の第２変形例に係るアキシャルギャップ型モータのロータを径方向から見た展開図である。
【図１０】本発明の実施形態の第３変形例に係るアキシャルギャップ型モータのロータの要部分解斜視図である。
【図１１】図１１（ａ），（ｂ）は本発明の実施形態の第４変形例に係るアキシャルギャップ型モータのロータを径方向から見た展開図である。
【図１２】図１２（ａ），（ｂ）は本発明の実施形態の第５変形例に係るアキシャルギャップ型モータのロータを径方向から見た展開図である。
【符号の説明】
【００４２】
１０  アキシャルギャップ型モータ
１１  ロータ
１２  ステータ
３２  副永久磁石
４１  電磁石
５１  ヨーク
５２  コイル
６１  スリップリング
６２  通電制御装置
７１  主永久磁石
【図１】
2008161038.tif 000003
【図２】
2008161038.tif 000004
【図３】
2008161038.tif 000005
【図４】
2008161038.tif 000006
【図５】
2008161038.tif 000007
【図６】
2008161038.tif 000008
【図７】
2008161038.tif 000009
【図８】
2008161038.tif 000010
【図９】
2008161038.tif 000011
【図１０】
2008161038.tif 000012
【図１１】
2008161038.tif 000013
【図１２】
2008161038.tif 000014